(57)【要約】【課題】電解ボックス外側と電解ボックス外に配置される電極との間に隙間が生じることを防止するとともに、生じた隙間から漏水があっても、電解ボックス外で電極間に電流が流れることを防止できる電解装置を提供する。【解決手段】内部に通水路を有する電解ボックスと、該電解ボックスの通水路に面するように配置される陽極と陰極とからなる少なくとも一対の電極とを備えた電解装置であって、前記電極は、前記電解ボックスを貫通し、一部が前記電解ボックス外に配置されるように取り付けられており、前記電解ボックス外における、前記一対の電極間に遮蔽板を備える。【選択図】  図３
2009160515.tif 000002
【特許請求の範囲】
【請求項１】
内部に通水路を有する電解ボックスと、
該電解ボックスの通水路に面するように配置される陽極と陰極とからなる少なくとも一対の電極と、を備えた電解装置であって、
前記電極は、前記電解ボックスを貫通し、一部が前記電解ボックス外に配置されるように取り付けられており、
前記電解ボックス外における、前記一対の電極間に遮蔽板を備えたことを特徴とする電解装置。
【請求項２】
前記遮蔽板は、前記電解ボックス外に配置される電極と同一高さ、又はそれよりも高くなるように形成されていることを特徴とする請求項１記載の電解装置。
【請求項３】
前記電解ボックス外側と前記電解ボックス外に配置される電極との間に生じる隙間には、エポキシ樹脂が充填されていることを特徴とする請求項１または２記載の電解装置。
【発明の詳細な説明】
【技術分野】
【０００１】
本発明は、電解装置に係り、特に洗浄水に抗菌性金属イオンを電解混入させて殺菌水を生成する電解装置に関する。
【背景技術】
【０００２】
従来、殺菌性物質又はイオンを含有する殺菌水を生成するための殺菌水生成手段と、該殺菌水を浴室内に散布するための殺菌水散布手段とを備える浴室防汚装置が知られている（例えば、特許文献１参照。）。
【０００３】
この浴室防汚装置は、殺菌水生成手段として、少なくとも一対の電極と、電極間に形成された流路と、該流路に連通する液体流入口及び液体流出口とを有する電解ボックスを備える。
【０００４】
【特許文献１】特開平９−２２０２７３号公報
【発明の開示】
【発明が解決しようとする課題】
【０００５】
ここで、電極は、電解ボックスを貫通し、一部が電解ボックス外に配置されるように取り付けられる。これは、電源部に接続される端子の一端が、電解ボックス外に配置される部分の電極に取り付けられるからである。
【０００６】
この場合、電解ボックス外側と電解ボックス外に配置される電極との間に隙間が生じるおそれがあり、そうすると、電解ボックスから漏水が起きた際に、電解ボックス外で電極間に電流が流れる。そして、電解ボックスの外部で電気分解が発生し、正確な電解濃度を測定できないので、所望の電解濃度を得られない。
【０００７】
本発明は、上述した事情を考慮してなされたもので、電解ボックス外側と電解ボックス外に配置される電極との間に隙間が生じることを防止するとともに、生じた隙間から漏水があっても、電解ボックス外で電極間に電流が流れることを防止できる電解装置を提供することを目的とするものである。
【課題を解決するための手段】
【０００８】
本発明に係る電解装置は、上述した課題を解決するために、内部に通水路を有する電解ボックスと、該電解ボックスの通水路に面するように配置される陽極と陰極とからなる少なくとも一対の電極とを備えた電解装置であって、前記電極は、前記電解ボックスを貫通し、一部が前記電解ボックス外に配置されるように取り付けられており、前記電解ボックス外における、前記一対の電極間に遮蔽板を備えたものである。
【０００９】
前記遮蔽板は、好適には、前記電解ボックス外に配置される電極と同一高さ、又はそれよりも高くなるように形成されていることが望ましい。
【００１０】
また、好適には、前記電解ボックス外側と前記電解ボックス外に配置される電極との間に生じる隙間には、エポキシ樹脂が充填されていてもよい。
【発明の効果】
【００１１】
本発明に係る電解装置によれば、電解ボックス外側と電解ボックス外に配置される電極との間に隙間が生じることを防止するとともに、生じた隙間から漏水があっても、電解ボックス外で電極間に電流が印加されることを防止することができる。
【発明を実施するための最良の形態】
【００１２】
本発明に係る電解装置を備える浴室殺菌システムの一実施形態について、添付図面を参照して説明する。図１は、本実施形態に係る浴室殺菌システムの全体的な概要を示すものである。
【００１３】
この浴室殺菌システムは、浴槽２と、浴槽２に隣接する洗い場床３と、浴槽２側から洗い場床３を隔てて浴槽２に対向する壁面４へ横設された浴室カウンタ５と、浴室殺菌装置１とから構成される。
【００１４】
浴室殺菌装置１は、制御ボックス１０と、機能ユニット１１と、散布ノズル１２と、リモコン１３とを備える。
【００１５】
制御ボックス１０は、浴室の天井裏に設置され、リモコン１３からの指示により、機能ユニット１１内の後述する電磁弁及び電解ボックスを制御する。
【００１６】
リモコン１３は、浴室前の更衣室等の壁面に設置され、スイッチ１３ａとＬＥＤ１３ｂとを備える。スイッチ１３ａをＯＮにすると、浴室殺菌装置１が作動を開始するとともに、ＬＥＤ１３ｂが点灯し、浴室殺菌装置１が作動中であることを表示する。
【００１７】
機能ユニット１１は、殺菌水を生成するユニットであり、浴室カウンタ５に内蔵され、その先端には殺菌水を散布する散布ノズル１２が接続される。
【００１８】
機能ユニット１１は、図２（ａ）に示すように、ケース２０内に、水道水導入管（図示せず）に接続する流入口２１を介して順に、電磁弁２２、定流量弁２３、逆止弁２４、大気開放弁２５、及び電解ボックス２６が連通され、電解ボックス２６は、流出口２７を介して殺菌水導出管（図示せず）に接続される。
【００１９】
機能ユニット１１は、ケース２０内にウレタン樹脂２８またはエポキシ樹脂が充填されて、防水構造とされている。これにより、電気部品の端子部の防水と、通水部からの漏水が防止される。
【００２０】
また、図２（ｂ）に示すように、機能ユニット１１の大きさを最小とすべく、流入ロ２１と流出口２７の軸が、ケース２０の対角に位置するように配設される。
【００２１】
ここで、流入口２１および流出口２７は浴室カウンタ５の前端部側に配置されるように取設されており、流入口２１及び流出口２７の軸はそれぞれケース２０の対角位置に配置されている。
【００２２】
そして、流入口２１から流出口２７へと連通する管路３６は、流入口２１から浴室カウンタ５の後端部側に直進し、電磁弁２２及び定流量弁２３を含む往路部３７と、浴室カウンタ５の後端部側から流出口２７に直進し、電解ボックス２６を含む復路部３８と、往路部３７及び復路部３８の浴室カウンタ５後端部側の端部を連通するためにＵ字状に屈曲するとともに、往路部３７が復路部３８に比べて高い位置に配置されるように取り付けられ、逆止弁２４及び大気開放弁２５を含む屈曲部３９とを有している。
【００２３】
電解ボックス２６は、合成樹脂製で、上部が開口した略直方体の箱部（図示せず）と、電極２９が取り付けられ箱部の開口を掩蔽する蓋部とが、溶着により一体化されて形成される。図３に電解ボックス２６の蓋部３０を示す。
【００２４】
平板状の一対の電極２９は、電解ボックス２６外における、電源部に接続される端子の一端が接続される部分から、電解ボックス２６内に入ると拡開し、相互に接近する方向に屈曲されると、さらに拡開して、銀イオン放出面積を確保している。電極２９は、相対する面以外は、生成される銀イオンの量を制御するために、蓋部３０が延出した延出部３０ａにより掩蔽される。
【００２５】
電解ボックス２６外側においては、端子が取り付けられるよう、一対の電極２９の間隔を広く開けておくことが望ましい。他方、通水路に面する電極間距離は、低電圧で高濃度の機能水を効率的に生成するため、間隔は狭い方がよい。そのため、電極２９は屈曲して形成されるが、この形状により、テコの原理で、電解ボックス２６と電極２９の間に隙間が発生してしまう可能性が高くなる。
【００２６】
そこで、図３（ａ）に示すように、電解ボックス２６外側と電解ボックス２６外に配置される電極２９との間に生じる隙間には、エポキシ樹脂３２が充填される。これにより、電解ボックス２６内の水が電解ボックス２６と電極２９との間に生じる隙間から漏水することが防止される。
【００２７】
また、一対の電極２９の中間には遮蔽板３１が立設される。この遮蔽板３１により、万が一電解ボックス２６と電極２９との間から漏水が起きても、電解ボックス２６外で電極２９間に電流が流れることが防止される。
【００２８】
特に、遮蔽板３１は、電解ボックス２６外に配置される電極２９と同一高さ、又はそれよりも高くなるように形成されているので、漏水が起きた際も、確実に電解ボックス２６外で電極２９間に電流が流れることを防止することができる。
【００２９】
リモコン１３のスイッチ１３ａが押されると、制御ボックス１０からの指示により電磁弁２２が開閉する。そして、電磁弁２２が開くことにより通水され、定流量弁２３により流量が一定に保たれる。これにより、生成される殺菌水の濃度が一定に保たれると同時に、散布ノズル１２から散布される殺菌水の水圧も一定に保たれ、所望の範囲に殺菌水を散布することが可能となる。
【００３０】
通水状態になると、電解ボックス２６の電極２９に通電が開始され、電極２９の電気分解が行われて銀イオンが発生する。銀イオンを含有する水は殺菌水として散布ノズル１２へ送られる。こうして生成された殺菌水は、逆止弁２４により給水管１５へと逆流することが防止される。
【００３１】
大気開放弁２５は、通電時（電磁弁開）においては閉止状態になって、原料水が外部に漏出することが防止され、待機時（電磁弁閉）には開放状態になって、逆止弁２４より下流側は空気と置換される。これにより、電解ボックス２６内に残存水が残ることが防止される。
【００３２】
電解ボックス２６の電極２９は、銀、銀合金または銀メッキ金属により形成され、電極２９の電気分解が行われると銀イオンが発生する。
【００３３】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００３４】
例えば、本実施形態においては、本発明に係る電解装置が、浴室殺菌システムに使用される場合を例にとって説明したが、本発明に係る電解装置が使用される場合はこれに限られない。
【図面の簡単な説明】
【００３５】
【図１】本発明に係る電解装置を備える浴室殺菌システムの一実施形態の全体概要を示す図。
【図２】機能部の詳細を示す図で、（ａ）は正面図、（ｂ）は側面図図。
【図３】電解ボックスの蓋部を示す図で、（ａ）は平面図、（ｂ）は正面図、（ｃ）は側面図。
【符号の説明】
【００３６】
１  浴槽殺菌装置
２  浴槽
３  洗い場床
４  壁面
５  浴室カウンタ
１０  制御ボックス
１１  機能ユニット
１２  散布ノズル
１３  リモコン
１３ａ  スイッチ
１３ｂ  ＬＥＤ
２０  ケース
２１  流入口
２２  電磁弁
２３  定流量弁
２４  逆止弁
２５  大気開放弁
２６  電解ボックス
２７  流出口
２８  ウレタン樹脂
２９  電極
３０  蓋部
３０ａ  延出部
３１  遮蔽板
３２  エポキシ樹脂
【図１】
2009160515.tif 000003
【図２】
2009160515.tif 000004
【図３】
2009160515.tif 000005